(57)【要約】【課題】失敗紙を無駄にすること無く、より少ない手間で抜け字を追加することができるプリンタドライバを提供する。【解決手段】ユーザが指定した属性を付与された抜け字を含む原稿データを印刷する際に、原稿データに含まれる文字のうち、印刷すべき文字の属性の指定をユーザから受け付けて、原稿データのうち、指定された属性を有する文字のみを変換したＰＤＬデータを生成して、ＭＦＰに印刷させる。【選択図】図４
2012093892.tif 000002
【特許請求の範囲】
【請求項１】
属性を付与された文字を含む原稿データからＰＤＬデータを生成させるプリンタドライバであって、
原稿データに含まれる文字のうち、印刷すべき文字の属性の指定を受け付ける印刷指定受付ステップと、
原稿データのうち、指定された属性を有する文字のみを変換したＰＤＬデータを生成する指定印刷ステップと、
をコンピュータに実行させることを特徴とするプリンタドライバ。
【請求項２】
更に、指定された属性を有する文字の属性を変更させる指示であって、他の属性を指定した変更指示受付ステップを、コンピュータに実行させ、
前記生成ステップは、指定された属性を有する文字の属性を、指定された他の属性に変更してＰＤＬデータを生成する
ことを特徴とする請求項１に記載のプリンタドライバ。
【請求項３】
更に、原稿データに含まれる文字のうち、印刷すべきでない文字の属性の指定を受け付ける削除指定受付ステップと、
原稿データのうち、指定された属性を有する文字以外を変換したＰＤＬデータを生成する削除印刷ステップと、
をコンピュータに実行させることを特徴とする請求項１に記載のプリンタドライバ。
【請求項４】
更に、原稿データをそのまま印刷せよとの指定を受け付ける全指定受付ステップと、
全指定を受け付けると、前記削除印刷ステップとは別途、全指定に係る原稿データ全体を変換してＰＤＬデータを生成する全印刷ステップと、
をコンピュータに実行させることを特徴とする請求項３に記載のプリンタドライバ。
【発明の詳細な説明】
【技術分野】
【０００１】
本発明は、プリンタドライバに関し、特に、より簡便なユーザ操作による失敗紙への追加印刷を可能にする技術に関する。
【背景技術】
【０００２】
パーソナルコンピュータ（PC: Personal Computer）で作成した原稿データをプリンタによって印刷出力する場合、ＰＣに搭載されたプリンタドライバによって、原稿データが当該プリンタに適合するページ記述言語（PDL: Page Description Language）によって記述されたＰＤＬデータに変換され、当該プリンタがＰＤＬデータを解析し、印刷出力イメージデータに変換して、印刷出力する。
【０００３】
しかしながら、印刷出力時において、未だ原稿データが必ずしも完全でなく、一部の文字の記入漏れがあることも少なくない。このような場合、アプリケーションプログラムを用いて元の原稿データを修正し、印刷し直すのが一般的であるが、最初に印刷出力した紙（以下、「失敗紙」という。）が無駄になってしまうという問題がある。
そこで、失敗紙を給紙トレイにセットして、記入が漏れた文字（以下、「抜け字」という。）だけを重ねて印刷する対策が考えられる。例えば、抜け字だけを記入した原稿データを用意すれば、これを失敗紙に印刷することによって、所期の印刷結果を得ることができる。
【先行技術文献】
【特許文献】
【０００４】
【特許文献１】特開平０７−３０７７３号公報
【発明の概要】
【発明が解決しようとする課題】
【０００５】
しかしながら、元の原稿データから印刷済みの部分を削除して、抜け字のみを追加したのでは手間がかかり過ぎる上に、アプリケーションプログラムの表示（プレビュー画面など）によって最終的な仕上がりを確認することができないという問題がある。
本発明は、上述のような問題に鑑みて為されたものであって、失敗紙を無駄にすること無く、より少ない手間で抜け字を追加することができるプリンタドライバを提供することを目的とする。
【課題を解決するための手段】
【０００６】
上記目的を達成するため、本発明に係るプリンタドライバは、属性を付与された文字を含む原稿データからＰＤＬデータを生成させるプリンタドライバであって、原稿データに含まれる文字のうち、印刷すべき文字の属性の指定を受け付ける印刷指定受付ステップと、原稿データのうち、指定された属性を有する文字のみを変換したＰＤＬデータを生成する指定印刷ステップと、をコンピュータに実行させることを特徴とする。
【発明の効果】
【０００７】
このようにすれば、プリンタドライバにて文字の属性を参照し、追加の要否を決定するので、アプリケーションプログラムやプリンタがサポートする機能の如何に関わらず、容易なユーザ操作によって、失敗紙に抜け字を追加することができる。
この場合において、更に、指定された属性を有する文字の属性を変更させる指示であって、他の属性を指定した変更指示受付ステップを、コンピュータに実行させ、前記生成ステップは、指定された属性を有する文字の属性を、指定された他の属性に変更してＰＤＬデータを生成すれば更に好適である。このようにすれば、抜け字を指定するためだけに付与した属性を削除したり、他の属性に変更したりすることができるので、印刷すべき文字の属性を抜け字の有無に如何に関わらず自由に決定することができる。したがって、紙面のデザインを自由に決定することができるので、ユーザの利便性に資することができる。
【０００８】
更に、本発明に係るプリンタドライバは、原稿データに含まれる文字のうち、印刷すべきでない文字の属性の指定を受け付ける削除指定受付ステップと、原稿データのうち、指定された属性を有する文字以外を変換したＰＤＬデータを生成する削除印刷ステップと、をコンピュータに実行させることを特徴とする。このようにすれば、プリンタドライバの設定画面において簡単な操作を行うだけで、例えば、アンケートに用いる回答用紙であって、記入例が記載された回答用紙から記入例を除く部分だけを印刷することができる。
この場合において、更に、原稿データをそのまま印刷せよとの指定を受け付ける全指定受付ステップと、全指定を受け付けると、前記削除印刷ステップとは別途、全指定に係る原稿データ全体を変換してＰＤＬデータを生成する全印刷ステップと、をコンピュータに実行させれば、例えば、回答用紙のみと記入例を記載した回答用紙とを同時に同数だけ、簡単な画面操作で印刷することができる。
【図面の簡単な説明】
【０００９】
【図１】本発明の実施の形態に係る印刷システムの主要な構成を示す図である。
【図２】ＰＣ１００の主要な構成を示す図である。
【図３】ＰＣ１００に搭載されている主要なソフトウェアの構成を示す図である。
【図４】印刷システム１における操作を例示する図であって、（ａ）は１回目の印刷操作を示し、（ｂ）は２回目の印刷操作を示す。
【図５】ＰＤＬデータを例示する図である。
【図６】プリンタドライバ３００の動作を示すフローチャートである。
【図７】印刷設定画面を例示する図である。
【図８】本発明の変形例に係る操作例を示す図である。
【図９】本発明の変形例に係るプリンタドライバ３００の動作を示すフローチャートである。
【発明を実施するための形態】
【００１０】
以下、本発明に係るプリンタドライバの実施の形態について、図面を参照しながら説明する。
［１］  印刷システムの構成
まず、本発明の実施の形態に係る印刷システムの構成について説明する。
図１は、本実施の形態に係る印刷システムの主要な構成を示す図である。図１に示されるように、印刷システム１は、パーソナルコンピュータ（以下、「ＰＣ」という。）１００とＭＦＰ（Multi Function Peripheral）１０１とをＬＡＮ（Local Area Network）１０２を介して相互通信可能に接続したものである。
【００１１】
ＰＣ１００には原稿データを作成するワードプロセッサ等のアプリケーションプログラムや、原稿データをＰＤＬデータに変換してＭＦＰ１０１に印刷出力させるプリンタドライバがインストールされている。ＭＦＰ１０１は、ＬＡＮ１０２を介してＰＣ１００から受け付けたＰＤＬデータに従って画像を形成し印刷出力する。ＭＦＰ１０１は、また、ユーザの指示に従って、紙原稿の複写やファクシミリの送受信などの処理も実行する。
【００１２】
［２］  ＰＣ１００の構成
次に、ＰＣ１００の構成について説明する。
図２は、ＰＣ１００の主要な構成を示す図である。図２に示されるように、ＰＣ１００は、ＣＰＵ（Central Processing Unit）２００、ＲＯＭ（Read Only Memory）２０１、ＲＡＭ（Random Access Memory）２０２、ＨＤＤ（Hard Disk Drive）２０３、ビデオインタフェース回路２０４、ＬＡＮインタフェース回路２０５、ＵＳＢ（Universal Serial Bus）インタフェース回路２０６、キーボード２０７及びマウス２０８を備えている。
【００１３】
ＣＰＵ２００は内部バス２０９を介して、ＲＯＭ２０１、ＲＡＭ２０２、ＨＤＤ２０３、ＬＡＮインタフェース２０４、ビデオＩ／Ｆ２０５及びＵＳＢインタフェース２０６に接続されている。また、ＵＳＢインタフェース２０６にはキーボード２０７とマウス２０８とが接続されている。
ＣＰＵ２００は、電源投入時にＲＯＭ２０１からブートプログラムを読み出し、ＲＡＭ２０２を作業用記憶領域として各種の処理を実行する。これによって、ＨＤＤ２０３に記憶されているオペレーティングシステム（OS）が実行される。ＨＤＤ２０３には、また、ワードプロセッサ等のアプリケーションプログラムが記憶されており、キーボード２０７やマウス２０８をユーザが操作することによって起動され、原稿データが生成されたり、ＬＡＮ１０２を介してＰＤＬデータが送信されたりする。
【００１４】
ＬＡＮインタフェース２０４はＬＡＮ１０２を介して、ＭＦＰ１０１や他のパーソナルコンピュータ１００とデータの送受信を行うために必要なプロトコル処理を実行する。なお、ＯＳＩ（Open Systems Interconnection）参照モデルにおける上位層のプロトコルはＣＰＵ２００が実行しても良い。ビデオインタフェースは、ＣＰＵ２００の制御の下、ＰＣ１００が備えるカラーモニタに映像を表示させる。キーボード２０７やマウス２０８はユーザ操作に応じた信号を、ＵＳＢインタフェース２０６を介してＣＰＵに送る。
【００１５】
［３］  ソフトウェア構成
次に、ＰＣ１００に搭載されているソフトウェアの構成について説明する。
図３は、ＰＣ１００に搭載されている主要なソフトウェアの構成を示す図である。図３に示されるように、ＰＣ１００にはオペレーティングシステム３１０、ブラウザ３２０、ワードプロセッサ３２１、表計算ソフトウェア３２２等が搭載されている。また、オペレーティングシステム３１０にはプリンタドライバ３００やＵＳＢドライバ３０１等のデバイスドライバが組み込まれている。
【００１６】
ブラウザ３２０、ワードプロセッサ３２１、表計算ソフトウェア３２２等のアプリケーションプログラムはオペレーティングシステム３１０が提供するＡＰＩ（Application Program Interface）を用いてプリンタドライバ３００に原稿データの印刷を要求する。すると、プリンタドライバ３００の操作画面が表示され、ユーザによる各種の設定操作が受け付けられる。
【００１７】
［４］  操作例
まず、印刷システム１における印刷操作の例を示して、プリンタドライバ３００の動作を説明する。
ここで説明する操作例は、失敗紙に追加印刷する操作に関するものである。図４は、印刷システム１における操作を例示する図であって、（ａ）は１回目の印刷操作を示し、（ｂ）は２回目の印刷操作を示す。
【００１８】
図４（ａ）に示されるように、まず、ユーザはアプリケーションプログラムを利用して原稿データを作成し、印刷の実行を指示する。この指示によって、プリンタドライバ３００は原稿データをＰＤＬデータに変換して、ＭＦＰ１０１へ送付する。図５はＰＤＬデータを例示する図である。図５（ａ）に示されるように、ＰＤＬデータには文字列毎に印刷位置（Position）、文字種（Font）、文字色（Color）、下線の有無（Underline）及び文字列そのもの（Text）が記載されている。このようなＰＤＬデータを受け取ると、ＭＦＰ１０１は画像を形成し、印刷出力する。
【００１９】
この場合において、ユーザが原稿を作成する際に記入漏れ（文字列「ＡＡＡＡ」）があると、ＭＦＰ１０１の出力結果は失敗紙となる。
これに対して、図４（ｂ）に示されるように、１回目に記入し忘れた文字列「ＡＡＡＡ」をユーザが原稿データに記入し、当該文字列「ＡＡＡＡ」に下線を付与する。そして、印刷の実行を指示する際に、印刷設定画面において、例えば、「印刷属性指定」として、「下線あり」を指定すると共に、「変更属性選択」として「下線なし」を指定する。ここで、「印刷属性指定」欄は属性を指定することによって印刷すべき文字列を指定する欄である。また、「変更属性選択」欄は印刷すべき文字列の属性を他の属性に変更する必要がある場合に、変更後の属性を指定する欄である。
【００２０】
このような指定を受け付けると、プリンタドライバ３００は印刷すべき文字列「ＡＡＡＡ」の下線をとったＰＤＬデータを生成して、ＭＦＰ１０１に送付する。図５（ｂ）には、「印刷属性指定」に係る文字列を抽出する前のＰＤＬデータが示されており、印刷済みの文字列「ＢＢＢＢ」と記入漏れした文字列「ＡＡＡＡ」との両方が含まれている。本操作例では、「印刷属性指定」が「下線あり」であるので、図５（ｂ）において「Underline」の値が「１」になっている文字列「ＡＡＡＡ」のみが抽出され、更に、「変更属性選択」が「下線なし」なので、図５（ｃ）においては、「Underline」の値が「０」に変更されている。
【００２１】
２回目の印刷時には、ＭＦＰ１０１には１回目に印刷出力した失敗紙がユーザによってセットされており、その上に重ねて文字列「ＡＡＡＡ」が印刷される。これによって、用紙の無駄を生じることなく記入漏れが解消される。
図６は、プリンタドライバ３００の動作を示すフローチャートである。図６に示されるように、プリンタドライバ３００は、ユーザ操作により、アプリケーションプログラムから呼び出され、印刷設定画面を表示した状態で、印刷属性値と変更属性値を取得する（Ｓ６０１）。
【００２２】
図７は、印刷設定画面を例示する図である。図７に示されるように、印刷設定画面においては、指定可能な印刷属性値や変更属性値、非印刷属性値が示されており、チェックボックスをクリックすることによって値の指定がなされる。また、ＯＫとＣａｎｃｅｌとの２つのボタンが用意されており、これらをクリックすることによって、それぞれユーザ操作の確定と取り消しがなされる。非印刷属性指定とオリジナル印刷については後述する。
【００２３】
次に、プリンタドライバ３００はＲＡＭ２０２に記憶されている原稿データを先頭から順に読み込んで（Ｓ６０２）、印刷属性値の指定が有るか否かを確認する。印刷属性値の指定がある場合には（Ｓ６０３：Ｙｅｓ）、指定属性をもつデータ（文字）があるか否かを確認する。指定属性をもつデータがなければ（Ｓ６０４：ＮＯ）、印刷すべき文字がないのでＰＤＬ変換を行わず、したがって、変換結果をＰＤＬデータとして出力することもない（Ｓ６０５）。
【００２４】
一方、印刷属性値の指定が無ければ（Ｓ６０３：Ｎｏ）、失敗紙に対する追加印刷ではないと判断されるので、原稿データ全体を印刷出力するために、データをＰＤＬ変換して出力する（Ｓ６０８）。
また、指定属性をもつデータがある場合には（Ｓ６０４）、変更属性値が指定されていれば（Ｓ６０６：Ｙｅｓ）、そのデータの属性を指定値に変更した後（Ｓ６０７）、ＰＤＬ変換して、出力する（Ｓ６０８）。変更属性値が指定されていなければ（Ｓ６０６：Ｎｏ）、当該データの属性を変更することなくＰＤＬ変換して、出力する（Ｓ６０８）。
【００２５】
ステップＳ６０５、Ｓ６０８を終えた後、未処理のデータがあれば（Ｓ６０９：Ｎｏ）、ステップＳ６０３に進んで、上記の処理を繰り返す。すべてのデータを変換し終えた場合には（Ｓ６０９：Ｙｅｓ）、得られたＰＤＬデータをＭＦＰ１０１へ送信して（Ｓ６１０）、処理を終了する。
［５］  変形例
以上、本発明を実施の形態に基づいて説明してきたが、本発明が上述の実施の形態に限定されないのは勿論であり、以下のような変形例を実施することができる。
【００２６】
（１）上記実施の形態においては、失敗紙に追加印刷する場合について説明したが、プリンタドライバ３００に同様のユーザインタフェースを設けることによって、他の操作も可能になる。
例えば、アンケートを実施するときに、回答用紙とその記入例を配布する場合がある。そのような場合に、回答用紙と記入例とを別個の原稿データとすると、回答用紙に変更を生じたときに、２つの原稿データを整合するように更新しなければならない。一方、原稿データを１つしか用意していないと、変更を生じるたびに記入例全体を書き直さなければならず、何れにしても手間と労力が必要になる。
【００２７】
また、プリンタドライバ３００がオーバーレイ機能をサポートしている場合には、当該オーバーレイ機能を利用して、回答用紙と記入例とを印刷することも考えられるが、この場合にも上と同様の問題が発生する。
アプリケーションプログラムによっては、レイヤ機能を提供しているものがあるので、回答用紙と記入例とを別個のレイヤに記入することによって、上記のような手間と労力を軽減することができる。しかしながら、レイヤ機能をサポートしていないアプリケーションプログラムも多い。
【００２８】
また、ＭＦＰ１０１が分版機能をサポートしている場合には、回答用紙と記入例とで互いに異なる色を用いて、指定された色成分だけ印刷することも考えられる。しかしながら、ＭＦＰによっては分版機能を有していないものもある。また、色で原稿を区別するため、原稿毎に使用することができる色が制約される問題もある。
これに対して、本変形例においては、文字の属性を指定することによって、回答用紙と記入例を別個に印刷させる。図８は、本変形例に係る操作例を示す図である。図８に示されるように、アプリケーションプログラムを使って原稿データが作成された後、プリンタドライバが呼び出され、印刷設定画面が表示される。原稿データ中、回答用紙の部分は黒字で、記入例の部分は赤字で書かれている。なお、回答用紙の部分には質問文等が含まれていても良い。
【００２９】
印刷設定画面においては、非印刷属性指定として、文字の属性のうち文字色が赤になっている文字が印刷されないように指定されている。また、回答用紙と記入例の両方を含む「オリジナルも印刷する？」の欄は「Ｙ」が選択されているが、以下では、「Ｙ」が選択された場合だけでなく、「Ｎ」が選択された場合についても説明する。
さて、オリジナルも印刷する場合には、非印刷属性として選択された文字色が赤の部分を省いた原稿データ、すなわち、記入例の部分が省かれた原稿データをＰＤＬデータＡに変換するのに加えて、記入例と回答用紙との両方を含むオリジナルの原稿データをＰＤＬデータＢに変換して、ＭＦＰ１０１へ送信する。ＭＦＰ１０１は、ＰＤＬデータＡに従って記入例の部分を省いた画像を形成すると共に、ＰＤＬデータＢに従ってオリジナルの画像を形成し、印刷出力する。
【００３０】
一方、オリジナルを印刷しない場合には、記入例の部分が省かれた原稿データがＰＤＬデータＡに変換され、ＭＦＰ１０１へ送信される。ＭＦＰ１０１は、記入例の部分を省いた画像のみを形成して、印刷出力する。
図９は、プリンタドライバ３００の動作を示すフローチャートである。図９に示されるように、プリンタドライバ３００は、まず、印刷設定画面において、指定された非印刷属性値とオリジナル印刷フラグ値とを取得して（Ｓ９０１）、原稿データを読み込む（Ｓ９０２）。そして、非印刷属性値の指定が無ければ（Ｓ９０３：Ｎｏ）、そのまま原稿データをＰＤＬ変換して、ＰＤＬデータＡに出力する（Ｓ９０８）。
【００３１】
また、非印刷属性値の指定があれば（Ｓ９０３：Ｙｅｓ）、オリジナル印刷フラグの値を参照する。オリジナル印刷フラグの値が「Ｙ」ならば（Ｓ９０４：Ｙｅｓ）、原稿データをＰＤＬ変換して、ＰＤＬデータＢに出力する（Ｓ９０５）。オリジナル印刷フラグの値が「Ｎ」の場合、若しくはステップＳ９０５の処理の後、指定属性（非印刷属性）を持つデータがあるか否かを確認する。指定属性を有するデータであれば（Ｓ９０６：Ｙｅｓ）、そのデータについてはＰＤＬ変換を行わない（Ｓ９０７）。一方、指定属性を有するデータでなければ（Ｓ９０６：Ｎｏ）、ＰＤＬ変換を行って、ＰＤＬデータＡに出力する（Ｓ９０８）。
【００３２】
ステップＳ９０７、Ｓ９０８を終えた後、未処理のデータがあれば（Ｓ９０９：Ｎｏ）、ステップＳ９０３に進んで、上記の処理を繰り返す。すべてのデータを変換し終えた場合には（Ｓ９０９：Ｙｅｓ）、得られたＰＤＬデータをＭＦＰ１０１へ送信して（Ｓ９１０）、処理を終了する。
このようにすれば、アプリケーションプログラムやＭＦＰの仕様に関わらず、ユーザの手間が増えるのを抑えながら、回答用紙と記入例とを同時に同数だけ印刷出力することができる。
【００３３】
（２）上記実施の形態においては、図５においてＰＤＬデータの一例を示したが、文字の属性さえ判別することができれば、ＰＤＬの種類は上記実施の形態に例示のＰＤＬには限定されない。すなわち、他のＰＤＬを用いる場合であっても本発明の効果は同じである。
（３）上記実施の形態においては、文字を追加し、若しくは削除する場合について説明したが、本発明がこれに限定されないのは言うまでもなく、文字以外の部分についても属性を定義することができる場合には、文字と同様に追加や削除を行えば、本発明の効果を得ることができる。
【００３４】
（４）上記実施の形態においては、本発明に係るプリンタドライバをパーソナルコンピュータにインストールした場合について説明したが、本発明がこれに限定されないのは言うまでもなく、パーソナルコンピュータ以外の装置にインストールしても本発明の効果は同じである。
（５）上記実施の形態においては、ＭＦＰにて印刷出力を行う場合について説明したが、本発明がこれに限定されないのは言うまでもなく、プリンタ装置など、ＭＦＰ以外の装置を用いて印刷出力しても良く、本発明の効果に変わりは無い。
【００３５】
（６）上記実施の形態においては、プリンタドライバが呼び出されるたびに、その都度、印刷属性指定や変換属性選択、非印刷属性指定などを行う場合について説明したが、本発明がこれに限定されないのは言うまでもなく、これに代えて次のようにしても良い。例えば、印刷属性指定等のデフォルト値を記憶しておいて、当該記憶値を用いても良いし、一旦入力された印刷属性指定等の値を記憶しておいて次にプリンタドライバが呼び出された際に利用しても良い。
【００３６】
（７）上記実施の形態においては、文字の属性として、下線と文字色とを例示したが、本発明がこれに限定されないのは言うまでもなく、他の属性を用いても良い。他の属性としては、例えば、太字や斜体、囲み線、網掛け、文字サイズ、フォントなどが挙げられる。用いる文字の属性の如何に関わらず、本発明はその効果を奏することができる。
（８）上記実施の形態においては、特に言及しなかったが、印刷属性指定等を受け付けた場合には、プリンタドライバはその旨をＭＦＰに通知して、ＭＦＰの操作パネルに専用のメッセージを表示する等して、ユーザに失敗紙をセットするよう促しても良い。このようにすれば、より確実に失敗紙がセットされるので、より確実に用紙の無駄を省くことができる。
【産業上の利用可能性】
【００３７】
本発明に係るプリンタドライバは、より簡便なユーザ操作による失敗紙への追加印刷を可能にする技術として有用である。
【符号の説明】
【００３８】
１…………………印刷システム
１００……………パーソナルコンピュータ
１０１……………ＭＦＰ
１０２……………ＬＡＮ
２００……………ＣＰＵ
２０１……………ＲＯＭ
２０２……………ＲＡＭ
２０３……………ＨＤＤ
２０４……………ビデオインタフェース回路
２０５……………ＬＡＮインタフェース回路
２０６……………ＵＳＢインタフェース回路
２０７……………キーボード
２０８……………マウス
２０９、２１０…内部バス
３００……………プリンタドライバ
３０１……………ＵＳＢドライバ
３１０……………オペレーティングシステム
３２０……………ブラウザ
３２１……………ワードプロセッサ
３２２……………表計算ソフトウェア
【図１】
2012093892.tif 000003
【図２】
2012093892.tif 000004
【図３】
2012093892.tif 000005
【図４】
2012093892.tif 000006
【図５】
2012093892.tif 000007
【図６】
2012093892.tif 000008
【図７】
2012093892.tif 000009
【図８】
2012093892.tif 000010
【図９】
2012093892.tif 000011